(57)【要約】【課題】美観があり、装飾照明灯等として多方面に使用できると共に、発熱もなく、消費電力が極めて少なく、消電力化に貢献でき、かつ破損もなく、安全性の向上が図れ、環境保全効果にも優れる内部に光輝描画像を有する照明灯を提供する。【解決手段】電源部に連結されるソケットに装着部の（口金部７ａ）を螺着することにより装着部７の内部の点灯回路部９の整流回路と電圧変換降下回路が作動し発光体３（ＬＥＤ）が点灯する。装着部７に固着されている光放射体６の内部には任意の形態の描画像５がレーザ加工により形成され、この描画像５が発光体３の照明により光輝し、美観を呈する。ＬＥＤを用いるため光放射体６の発熱もなく、ＬＥＤ使用により消費電力も極めて少ない。【選択図】      図１
2004164879.tif 000002
【特許請求の範囲】
【請求項１】
電源部に連結される連結体に着脱可能に装着される装着部とこれに固着される立体形状の透明又は半透明（着色含む）の光放射体とを有する灯体と、前記光放射体内にレーザ加工によって形成される描画像と、前記電源部に電通し前記光放射体及びその内部の前記描画像を照光する発光体と、前記装着部内に収納され前記発光体の照光に必要な電圧を付与する点灯回路部とを備えることを特徴とする内部に光輝描画像を有する照明灯。
【請求項２】
前記電源部がＡＣ１００Ｖ電源に装着されるソケットであり、前記装着部が前記ソケットに着脱可能に固着される口金部であることを特徴とする請求項１に記載の内部に光輝描画像を有する照明灯。
【請求項３】
前記光反射体が、透明又は着色のプラスチック材，ガラス材又はゴム体からなることを特徴とする請求項１又は２に記載の内部に光輝描画像を有する照明灯。
【請求項４】
前記光反射体の外面が鏡面状の反射部材で覆われることを特徴とする請求項１乃至３のいずれかに記載の内部に光輝描画像を有する照明灯。
【請求項５】
前記描画像が、平面画像又は立体画像であることを特徴とする請求項１乃至３のいずれかに記載の内部に光輝描画像を有する照明灯。
【請求項６】
前記灯体が、単一の前記連結体に装着される複数個のものからなることを特徴とする請求項１乃至４のいずれかに記載の内部に光輝描画像を有する照明灯。
【請求項７】
前記複数個の灯体は、その形状、大きさが同一又は相異するものからなることを特徴とする請求項５に記載の内部に光輝描画像を有する照明灯。
【請求項８】
前記発光体が、単色，多色のＬＥＤからなることを特徴とする請求項１乃至５に記載の内部に光輝描画像を有する照明灯。
【請求項９】
前記ＬＥＤが、同一又は異なる色を発光するものからなることを特徴とする請求項７に記載の内部に光輝描画像を有する照明灯。
【請求項１０】
前記ＬＥＤが、フルカラのＬＥＤであることを特徴とする請求項７に記載の内部に光輝描画像を有する照明灯。
【請求項１１】
前記ＬＥＤが回動又は回転可能に配置されることを特徴とする請求項７乃至９のいずれかに記載の内部に光輝描画像を有する照明灯。
【請求項１２】
前記発光体のまわりにはこの発光を前記光放射体の方向に反射する反射板が配置されることを特徴とする請求項１乃至９のいずれかに記載の内部に光輝描画像を有する照明灯。
【発明の詳細な説明】
【０００１】
【発明の属する技術分野】
本発明は、内部に美しく輝く光輝描画像を有する照明灯に係り、家庭用の電源に簡単に装着され、美観を呈すると共に、発熱も殆どなく、消費電力も極めて少なく、連続点灯が可能で安全性の向上にも寄与し得る内部に光輝描画像を有する照明灯に関する。
【０００２】
【従来の技術】
美観を主目的とする照明灯としては従来より各種のものがあるが、その殆どのものは灯体としてはＡＣ１００Ｖで発光する自然電球が用いられ、その周りを美観のある模様体によって覆うものからなる。従って、美観はあるが白色電球を用いるためかなり高熱化し、直接触れることはできない。また、消費電力も高い。
【０００３】
【発明が解決しようとする課題】
一方、本発明の発明者の工夫した照明灯として透明プラスチック内に気泡を形成し、この気泡を発光ダイオード（ＬＥＤ）により照明するものがある。このものは照光された気泡がキラキラと光り、美観を呈すると共にＬＥＤを用いるため消費電力が極めて少ない利点がある。この照明灯はそれなりの美的価値や実用的価値があるものであるが、美的表現が単一であり飽きがくる問題点がある。一方、最近の特殊なレーザ加工技術によりガラスやプラスチック材の内部に平面像又は立体像を描画する技術がある。この描画技術にも色々のノウハウがあり、単一のものではないが、いずれにせよ、レーザにより内部に任意の画像を形成することが可能である。そこで、仮りに照明灯の中に気泡のみならず任意の画像を形成することができれば、照明灯の美観向上とその用途の拡大化が図られ、産業の発展に貢献することができる。この画像の発光は、例えばＬＥＤにより行われるため、消費電力は極めて少なく、発熱も生じない。勿論、技術の向上により、描画像の発光が自然発光するものからなれば、更に大きな電力消費の低減が可能であるが、この技術は今の所、研究課題であり、ノウハウ的のものである。
【０００４】
本発明は、以上の事情に鑑みて発明されたものであり、従来の照明灯としての常識を破り、発熱もなく、消費電力も極めて少なく、連続長時間照光が可能であり、かつ家庭は勿論、電源のある如何なる場所にも気軽に取付けられ、美観の特別の向上が図れ、美術的，装飾的使用に限らず、旅客機等の乗客の照明灯を始め色々の産業における照明，表示灯にも適用され、玩具にも適用でき、安全性と信頼性のある内部に光輝描画像を有する照明灯を提供することを目的とする。なお、光輝描画像としては任意の画像を極めて精密に描くことができ、極めて微細なものまでも描画可能である。
【０００５】
【課題を解決するための手段】
本発明は、以上の目的を達成するために、請求項１の発明は、電源部に連結される連結体に着脱可能に装着される装着部とこれに固着される立体形状の透明又は半透明（着色を含む）の光放射体を有する灯体と、前記光放射体内にレーザ加工によって形成される描画像と、前記電源部に電通し前記光放射体及びその内部の前記描画像を照光する発光体と、前記装着部内に収納され前記発光体の照光に必要な電圧を付与する点灯回路部とを備えることを特徴とする。レーザ加工によって描かれた任意の描画像は発光体からの照光により輝く。光放射体はたとえば、ソケットに装着される灯体（電球）に形成されるものであり、美観のあるランプとして広範囲に使用可能となる。また、発光体がＬＥＤの場合は発熱もなく、消費電力も極めて少なく長期間連続使用ができる。しかも２０年と長期にわたりメンテナンスがフリーとなる。
【０００６】
また、本発明の請求項２の発明は、前記電源部がＡＣ１００Ｖ電源に装着されるソケットであり、前記装着部が前記ソケットに着脱可能に固着される口金部であることを特徴とする。これにより、ＡＣ１００Ｖ電源に装着されるソケットに口金部をねじ込んで使用することができ、例えば家庭内の照明として、又は子供の玩具としても広く使用される。勿論、その他の照明灯としても広く適用される。
【０００７】
また、本発明の請求項３の発明は、前記光反射体が、透明又は着色のプラスチック材，ガラス材又はゴム体からなることを特徴とする。光放射体が透明又は半透明又は着色のプラスチック材やガラス又はゴム体からなることにより、内部の描画像が明瞭に、かつ芸術的に表現され、美観の向上が図れる。
【０００８】
また、本発明の請求項４の発明は、前記光反射体の外面が鏡面状の反射部材で覆われることを特徴とする。これにより、効率的な集光ができ、美観の一層の向上が図れる。
【０００９】
また、本発明の請求項５の発明は、前記描画像が平面画像又は立体画像であることを特徴とする。任意の平面又は立体画像を目的に応じて描画でき、広範囲の用途に適用される。
【００１０】
また、本発明の請求項６の発明は、前記灯体が単一の前記連結体に装着される複数個のものからなることを特徴とする。照明灯を複数個配列することにより複雑で美観のある照明形態を表現することが可能になる。
【００１１】
また、本発明の請求項７の発明は、前記複数個の灯体の形状、大きさが同一又は相異するものからなることを特徴とする。大きさや形状を変えることができるため、使用目的の拡大化を図ることができる。また、美観の一層の向上が図れる。
【００１２】
また、本発明の請求項８の発明は、前記発光体が、単色又は多色のＬＥＤからなることを特徴とする。発光体としてＬＥＤを使用することにより発熱もなく、消費電力の極端の節約ができる。また、故障も少ない。
【００１３】
また、本発明の請求項９の発明は、前記ＬＥＤが、同一又は異なる色を発光するものからなることを特徴とする。これにより、多種の照明光が得られ、美観の一層の向上が図れる。
【００１４】
また、本発明の請求項１０の発明は、前記ＬＥＤが、フルカラのＬＥＤであることを特徴とする。フルカラのＬＥＤを用いることにより描画像の色彩が時間と共に変化し、一層の美観の向上が図れる。
【００１５】
また、本発明の請求項１１の発明は、前記ＬＥＤが回動又は回転可能に配置されることを特徴とする。これにより、美観の一層の向上が図れる。
【００１６】
また、本発明の請求項１２の発明は、前記発光体のまわりにはこの発光を前記光放射体の方向に反射する反射板が配置されることを特徴とする。これにより、発光体からの光を描画像側に集中でき、光輝性の向上が図れる。
【００１７】
【発明の実施の形態】
以下、本発明の内部に光輝描画像を有する照明灯の実施の形態を図面を参照して詳述する。図１は本発明の内部に光輝描画像を有する照明灯の１つの実施の形態の全体構造を示す断面図、図２は描画像と気泡を光放射体内に形成した照明灯の概要構造を示す部分断面図、図３は複数個（図は３個）の灯体を単一のソケットに装着し、かつ夫々の光放射体の形状、大きさが相異する照明灯を示す模式図、図４，図５はハート形や菱形の光放射体を有する照明灯を示す部分断面図、図６は点灯回路部の回路構造の一例を示す回路図である。
【００１８】
図１に示すように内部に光輝描画像を有する照明灯１は、大別して光放射体６と装着部７とを有する灯体２と、灯体２の装着部７内に設けられる発光体３と、その点灯回路部４と、立体形状の光放射体６内に描画される描画像５等を備えるものからなる。
【００１９】
灯体２は、本実施の形態では球体状の透明プラスチック材からなる光放射体６と、この基端部に装着され電球の口金形状の装着部７とからなる。この装着部７は図略のソケットに螺着される。また、灯体２の光放射体６の内部には本実施の形態では任意の形状の描画像５がレーザ加工により形成される。なお、光放射体６がガラス材からなる場合、この内部描画については多くの先行技術があるが、プラスチック材の中に内部描画する技術は余り知られておらず、ノウハウ的な技術である。特に、微細で、かつ微細な立体の描画像５を形成する技術は余り知られていないが、技術的に可能であることが実証されている。この描画像５は内部描画像のため、汚れもなく、外部から除去したり破損することは光放射体６そのものを破壊しない以上できない。なお、装着部７は詳細構造としては前記のようにソケットに螺着される口金部７ａとこの開口端を閉止する絶縁体７ｂ及びこの中心にある中心端子７ｃ等とからなる。
【００２０】
中央端子７ｃには基板８が電気的に連結される。また、基板８の図の上面には発光体３及びこの点灯回路部４が設けられている。なお、本実施の形態では発光体３としてはＬＥＤが使用される。また、基板８上には発光体３を囲んで上方に向かって末広がりする反射板１０が設けられている。反射板１０は発光体３の光線を光放射体６側に集光させるためのものである。なお、ＬＥＤは単色でも多色でもフルカラでもよく、更に回動又は回転可能に配列されるものでもよい。勿論、ＬＥＤの数は単数に限らず複数個配設してもよい。
【００２１】
次に、点灯回路部９の一実施例の形態を図６に示す。即ち、点灯回路部４は４個の発光ダイオード１１からなる整流回路１２と、電圧変換降下回路１３である抵抗体１４と、コンデンサ１５，１６等とからなり、例えば、ＡＣ１００Ｖの電圧をＤＣ４Ｖ程度の電圧にして発光体３に供給する回路構造のものからなる。
【００２２】
次に、図１に示した内部に光輝描画像を有する照明灯１の点灯作用について説明する。例えば、図３に示すようなソケット１７に内部に光輝描画像を有する照明灯１の装着部（口金部７ａ）を螺着すると、ＡＣ１００Ｖの電源部（図略）に内部に光輝描画像を有する照明灯１は電通される。このＡＣ１００Ｖの電圧の電気は点灯回路部４の電圧変換降下回路１３により、発光体３（ＬＥＤ）の発光に見合う電圧に降下され、整流回路１２によりＤＣ変換される。これにより発光体３にはＤＣ電圧が付加されて点灯する。例えば、ＬＥＤの場合はＤＣ４Ｖ程度の電圧により点灯される。この発光体３の照明は直接又は反射板１０を介して光放射体６を照光する。勿論これに限定するものではなく、逆にＤＣ５ＶをＤＣ１２Ｖ等にラップする場合もある。これにより、光放射体６及びその内部に形成されている描画像５が光輝し、美観を呈する。なお、発光体３に付加される電圧はＤＣ４Ｖ程度あり、光放射体６は発熱せず手で触っても熱くない。即ち、安全性を有するものになる。また、当然ながら消費電力も極めて少なく、例えば１年間、点灯しっぱなしでも５００円程度の電気料金しかかからない。
【００２３】
灯体２の光放射体６の外面は何にも設けなくてもよいが、図１に示すようにその一部を鏡面状の反射部材１８によって覆うことにより効果的な集光ができ、一層美観の向上が図れる。
【００２４】
図２は別の実施の形態の内部に光輝描画像を有する照明灯１ａを示す。この内部に光輝描画像を有する照明灯１ａは灯体２の光放射体６ａの構造が異なるが、その他の構造は図１のものと同一であり、重複説明を省略する。この場合の光放射体６ａには前記したような描画像５と共に多数個の気泡９が内部に形成されている。プラスチック材の内部に気泡９を形成する技術は本願の発明者が既に発明しているものであり、光放射体６ａの射出成型時において気泡剤を混入させることにより容易に形成される。勿論、この気泡９の数や大きさはコントロールすることができる。即ち、気泡９が既に形成されている光放射体６ａにレーザ加工により描画像５を形成することにより本実施の形態のような光放射体６ａを容易に得ることができる。以上の構造の光放射体６ａを有する内部に光輝描画像を有する照明灯１ａは前記のものよりも更に優れた美観を発揮することができ、その広範囲用の拡大化が図れる。なお、気泡９は透明又は不透明のものでもよい。
【００２５】
第３は、前記のような内部に光輝描画像を有する照明灯１及び内部に光輝描画像を有する照明灯１ａを単体のソケット１７に複数個装着した実施の形態を示す。ソケット１７を図示のように複数足部を有するものに形成されることは既存の技術で容易にできる。また、その形態や数も自由に設定することができる。この夫々の足部に本発明の内部に光輝描画像を有する照明灯１や内部に光輝描画像を有する照明灯１ａを装着することにより、光輝度が増大すると共に、多くの用途拡大ができる。勿論、内部の描画像５の形態や大きさ、数等を自由にコントロールすることができる。
【００２６】
図４及び図５は前記した光放射体６，６ａと外観形状の異なる光放射体６ｂ，６ｃを有する内部に光輝描画像を有する照明灯１ｂ，１ｃを示す。図４の光放射体６ｂはハート型のものであり、図５の光放射体６ｃはダイヤ型のものである。勿論、光放射体の形態は以上のものに限定するものではない。光放射体の形態を工夫することにより、内部に光輝描画像を有する照明灯１の全体構造に変化をもたせることができ、美観の向上と用途の一層の拡大化が図れる。
【００２７】
以上の構造の内部に光輝描画像を有する照明灯１，１ａ等の用途としては各種のものがあるが、スタンドの電球として用いられる他、各種の計器類の照光、各種の飾り物の照明、玩具の照明、表示灯の照明、室内の飾り照明等各方向に使用することができる。また、前記のように消費電力が極めて少なく１年中つけぱなしでもよく、安全灯としても適用される。また、触っても熱くないためむき出しにしておいても全く危険がない。また、一般の電球のように薄ガラスでなく、ガラス又はプラスチック材の充填構造のため、破損することは全くない。よって安全性が極めてよいものからなる。
【００２８】
【発明の効果】
本発明によれば、美観のある照明灯として各方向に使用されると共に、安全性に優れ、かつ消費電力が極めて少なく長期間使用しても問題ない効果が上げられる。現在使用されている蛍光灯や自然電球に替るものとして広く使用されると共に環境保全や消費電力化に大きく貢献できる効果が上げられる。また、美観向上により生活にうるおいを与えることができる。
【図面の簡単な説明】
【図１】本発明の内部に光輝描画像を有する照明灯の一つの実施の形態の全体構造を示す断面図。
【図２】光放射体の内部に描画像と気泡とを形成した照明灯の概要構造を示す部分断面図。
【図３】複数個の内部に光輝描画像を有する照明灯を単体のソケットに装着した本発明の一つの実施の形態を示す模式図。
【図４】ハート型の光放射体を有する内部に光輝描画像を有する照明灯を示す部分断面図。
【図５】ダイヤ型の光放射体を有する内部に光輝描画像を有する照明灯を示す部分断面図。
【図６】発光体を照光するための点灯回路部の回路構造を示す回路図。
【符号の説明】
１    内部に光輝描画像を有する照明灯
１ａ  内部に光輝描画像を有する照明灯
１ｂ  内部に光輝描画像を有する照明灯
１ｃ  内部に光輝描画像を有する照明灯
２    灯体
３    発光体
４    点灯回路部
５    描画像
６    光放射体
６ａ  光放射体
６ｂ  光放射体
６ｃ  光放射体
７    装着部
７ａ  口金部
７ｂ  絶縁体
７ｃ  中心端子
８    基板
９    気泡
１０  反射板
１１  発光ダイオード
１２  整流回路
１３  電圧変換降下回路
１４  抵抗体
１５  コンデンサ
１６  コンデンサ
１７  ソケット
１８  反射部材
【図１】
2004164879.tif 000003
【図２】
2004164879.tif 000004
【図３】
2004164879.tif 000005
【図４】
2004164879.tif 000006
【図５】
2004164879.tif 000007
【図６】
2004164879.tif 000008